(57)【要約】追記型光ディスク１０のラベルサイド１４にラベルを形成するために適合される光ディスクドライブでは、ラベルサイド１４のマーキングが同期されるように、回転角の決定が提供される。回転角αを決定する方法は、光ディスクドライブに通常は存在し、タコ信号２４を生成するために使用されるホール効果素子１７，１８，１９により生成された信号１７’、１８’、１９’のうちの１又は２つに基づく。有利なことに、回転角とこれら信号の振幅との間の実際の関係は、決定された回転角αの高い精度を可能にするように、較正手順で記録される。この較正手順は、工場で又はユーザにより実行され、光ディスクに存在する同期パターンが使用される場合に更なるアドホック装置を必要としない。
2008505432.tif 000002
【特許請求の範囲】
【請求項１】
光ディスクドライブにおけるターンテーブルモータとかみ合う光情報キャリアのラベルサイドにラベルを形成する方法であって、
前記光情報キャリアを回転するステップと、
回転角に依存して連続的に変化するパラメータを測定することで前記光情報キャリアの前記回転角を決定し、前記パラメータと前記回転角との間の関係を使用することで前記回転角を計算するステップと、
前記光情報キャリアを回転しつつ、前記ラベルサイドにマークするための書込み手段の電力を調整するステップとを含み、
前記調整するステップは、前記決定された回転角に依存して行われる、
ことを特徴とする方法。
【請求項２】
光ディスクドライブにおけるターンテーブルモータとかみ合う光情報キャリアのラベルサイドにラベルを形成する方法であって、
前記光情報キャリアを回転するステップと、
回転角に依存して連続的に変化するパラメータを測定することで前記光情報キャリアの前記回転角を決定し、前記パラメータと前記回転角との間の関係を使用することで前記回転角を計算するステップと、
決定された前記回転角を使用して、前記光情報キャリアの回転を調整するステップと、
前記光情報キャリアを回転する間に前記ラベルサイドをマークするための書込み手段の電力を調整するステップと、
を含むことを特徴とする方法。
【請求項３】
前記光情報キャリアは一定の角速度で回転される、
請求項２記載の方法。
【請求項４】
前記ターンテーブルモータを回転し、前記パラメータを測定し、前記回転角度の基準の測定を実行することで、前記パラメータと前記回転角との間の関係が構築される予備的なステップを含む、
請求項１又は２記載の方法。
【請求項５】
前記予備的なステップで、同期パターンを有する光情報キャリアが前記ターンテーブルモータにより回転され、前記回転角の基準の測定を実行するため、前記同期パターンから生成された同期信号が使用される、
請求項４記載の方法。
【請求項６】
前記回転角を決定するステップで、前記回転角に依存して連続的に変動する更なるパラメータが決定され、
前記回転角を計算するステップで、前記パラメータと前記更なるパラメータとの間の関係が前記関係として使用され、前記パラメータと前記回転角との間の関係が前記関係として使用される、
請求項１又は２記載の方法。
【請求項７】
前記回転角を決定するステップで、前記ターンテーブルモータの回転に応じて磁場に関して回転するホール効果センサにより生成される信号が前記パラメータとして使用される、
請求項１又は２記載の方法。
【請求項８】
光情報キャリアのラベルサイドにラベルを形成する装置であって、
前記光情報キャリアを回転するためのターンテーブルモータと、
前記光情報キャリアの回転角を決定し、前記回転角に依存して連続的に変化するパラメータを測定する測定手段、前記パラメータと前記回転角との間の関係を使用することで、前記回転角を計算する計算手段とを有する角度決定ユニットと、
前記ラベルサイドをマークする書込み手段と、
決定された前記回転角に依存して前記書込み手段の電力を調整するために適合される、前記光情報キャリアを回転させる間に前記書込み手段の電力を調整する電力調整手段と、
を有することを特徴とする装置。
【請求項９】
光情報キャリアのラベルサイドにラベルを形成する装置であって、
前記光情報キャリアを回転させるターンテーブルモータと、
前記光情報キャリアの回転角を決定し、前記回転角に依存して連続的に変化するパラメータを測定する測定手段、前記パラメータと前記回転角との間の関係を使用することで、前記回転角を計算する計算手段を有する角度決定ユニットと、
決定された前記回転角を使用することで、前記光情報キャリアの回転を調整する速度調整ユニットと、
前記ラベルサイドをマークする書込み手段と、
前記光情報キャリアを回転させる間に前記書込み手段の電力を調整する電力調整手段と、
を有することを特徴とする装置。
【請求項１０】
前記速度調整ユニットは、一定の角速度で前記光情報キャリアの回転を調整するために適合される、
請求項９記載の装置。
【請求項１１】
前記パラメータと前記回転角との間の関係を構築するために較正手段を更に有し、
前記較正手段は、
前記ターンテーブルが回転するのを制御し、
前記パラメータを測定するために前記測定手段を制御して、測定された前記パラメータを取得し、
前記回転角の基準の測定を実行するために基準の測定手段を制御して、前記基準の測定を取得することが可能である、
請求項８又は９記載の装置。
【請求項１２】
信号を生成するホール効果センサを更に有し、前記ホール効果センサは、前記ターンテーブルモータの回転に応じて磁場に関して回転し、前記測定手段は、前記パラメータとして前記信号の振幅を測定可能である、
請求項８又は９記載の装置。
【発明の詳細な説明】
【技術分野】
【０００１】
本発明は、光情報キャリアのラベルサイドにラベルを形成する方法に関する。  
また、本発明は、光情報キャリアのラベルサイドにラベルを形成する装置に関する。
【背景技術】
【０００２】
光情報キャリアのラベルサイドにラベルを形成する装置の実施の形態は、ＵＳ２００３／０１６１２２４Ａ１から知られており、この文献は、追記型（recordable）光ディスク及び該光ディスクに記録する光ディスクドライブを開示している。追記型光ディスクは、データサイドと書き換え可能（writable）なラベルレイヤを含むラベルサイドとを有し、このラベルサイドは、たとえば、それに熱エネルギーを印加することで目に見えて変化することができる材料を含む。したがって、光ディスクドライブには、ラベルサイドに書込みする、書き換え可能なラベルレイヤを視覚的に変化させるために必要な熱エネルギーを印加することでラベルを形成するために制御される書込み手段が設けられている。この書き込み手段は、データサイドにユーザデータを記録するために使用される書込み手段と異なり、ディスクに関して反対側に配置されており、ユーザデータが記録されるのと同時にラベルサイドが形成される。書き込み手段は、ラベルの形成を可能にするように、光ディスクを回転する間、たとえばテキスト又は画像を含めて書き込みするために制御される。
【０００３】
別の状況では、しかし、書込みのメカニズムは、データサイドにユーザデータを記録するためにも使用される同じ書込みメカニズムである。これは、ユーザデータの記録及びラベルの形成が２つの異なる連続するアクションとして行われる必要があることを意味する。また、このケースでは、書込みメカニズムは、光ディスクを回転する間、書込みするために制御される必要がある。
【０００４】
しかし、ラベルサイドへの書込みは、同時にユーザデータが記録されたか否かに従って異なる意味を有する。実際に、データサイドにユーザデータを記録する間、書込みメカニズムが書込みしている実際の位置は、スキャンされ、ユーザデータが記録される溝に存在する位置情報から導出することができる。対照的に、ラベルサイドでは、実際の位置の情報を含む溝が存在しない。ＵＳ２００３／０１６１２２４Ａ１は、かかる実際の位置が個別のアクションとしてラベルサイドで書込みする間にどのように決定することができるかについて言及していない。したがって、公知の装置は、書込みメカニズムが、ユーザデータを記録するために使用される書込みメカニズムと同じであるとき、又は更に一般的にはディスクの同じサイドに面しているとき、ラベルを形成不可能であるという問題を有する。
【発明の開示】
【発明が解決しようとする課題】
【０００５】
本発明の第一の目的は、本発明の方法により比較的な多様な状況でラベルを形成することができる、光情報キャリアのラベルサイドにラベルを形成する方法を提供することにある。  
本発明の第二の目的は、本発明の装置により比較的な多様な状況でラベルを形成することができる、光情報キャリアのラベルサイドにラベルを形成する装置を提供することにある。
【課題を解決するための手段】
【０００６】
本発明によれば、第一の目的は、請求項１に記載される方法により達成される。  
本発明は、以下に記載される認識に基づいている。
【０００７】
第一に、光情報キャリアのラベルサイドにラベルを形成するため、書込み手段は、ラベルサイドの実際の位置、すなわち書き込み手段がアクチベートされた場合に所与の瞬間でマークするラベルサイドの位置であって、光情報キャリアの回転の結果として変動する位置に依存して制御される必要がある。
【０００８】
第二に、光情報キャリアの位置は、回転角および半径方向の位置を構成するとして見ることができる。ここでは光ディスクドライブと呼ばれる光情報キャリアにアクセスする装置では、半径方向の位置は通常は利用可能である。同じことが、光情報キャリアのラベルサイドにラベルを形成するために適合される光ディスクドライブにも当てはまり、したがって、回転角の情報、及びその決定の方法は、ラベルサイドの実際の位置の決定を可能にする。
【０００９】
第三に、回転角に依存して変化するパラメータは、回転角を決定するために使用されないが、既存の光ディスクドライブに通常存在し、したがって、本発明に係る方法は、新たなコンポーネントの追加を必要とすることはないが、既存のコンポーネントの比較的微小な調整により、かかる光ディスクドライブで有利にも適用することができる。
【００１０】
認識することができるように、実際に、既存の光ディスクドライブでは、光情報キャリアは、実質的に同軸に配置されるようにターンテーブルモータと係合させ、ターンテーブルモータを回転することで回転され、光情報キャリアは、結果としてターンテーブルモータと同時に回転される。ターンテーブルモータの回転速度は、回転速度に比例する周波数で矩形パルスを有するタコ信号と呼ばれる信号の使用により通常は制御される。本質的に、タコ信号は、所与の瞬間で回転信号に関する情報を含まない。しかし、タコ信号は、３つの他の信号であることがある少なくとも１つの他の信号の処理から導出され、その他の信号の振幅は、ターンテーブルモータの回転に応じて、したがって回転角に依存して周期的かつ連続的に変動する。この他の信号は、以下では角度に依存する信号と呼ばれ、ホール効果センサにより通常は生成され、ターンテーブルモータの回転に応じて磁場に関して回転可能であり、他の実現も可能である。通常、磁場は、ターンテーブルモータのロータである磁石により生成され、ホール効果センサは、磁場に可変的に向けられるように、固定された位置に配置され、すなわち非回転部分に搭載される。このように、角度に依存する信号が生成され、その振幅は、磁石に関してホール効果センサの回転角に反映され、したがって、それと共に回転する光情報キャリアの回転角に反映される。
【００１１】
したがって、ホール効果センサにより発生された先に記載されたような角度に依存する信号の振幅は、回転角度に依存して連続的に変動するパラメータとして使用される場合がある。
【００１２】
本発明に係る方法は回転角の決定を提供し、回転角の決定を提供し、したがって、たとえば書き込み手段がユーザデータを記録するために使用されるヘッドと同じであるとき、又は更に一般には光情報キャリアの同じサイドに面するときのケースである、ラベルの形成がユーザデータの記録とは個別のアクションとして行われるときでさえ、ラベルの形成が可能となる。しかし、本発明に係る方法は、ラベルの形成がユーザデータの記録に付随して行われるときでさえ有利に行われる。これは、回転角がアドレス情報からの変換が関与されることなしに回転角を決定することができることによる。
【００１３】
本発明に係る方法は、先に記載されたように、光ディスクドライブそれ自身の比較的微小な変更を含む既存の光ディスクドライブで適用することができる点で更に有利である。
【００１４】
代替的なソリューションでは、本発明によれば、第一の目的は、請求項２記載の方法により達成される。このケースでは、回転角の決定は、ターンテーブルモータにより情報キャリアに制約される回転速度を規制するために使用される。このように、特に低速で、タコ信号に基づく調整よりも非常に正確であってかつ信頼することができ、制限された値に等しいことが想定される回転速度の調整を達成することが可能である。この方法によれば、書込み手段の電力の調整は、決定される回転角に直接依存する必要がないが、時間にシンプルに依存する。これは、回転速度が十分な精度で調整することができ、既知である制限された値に等しいことが想定されるためである。このコンテクストでは、十分な精度によるとは、そのように形成されたラベルが良好に見ることができる定義を有する精度であることを意味する。
【００１５】
特に、調整される回転速度は、一定の回転速度とすることができ、請求項３に記載されるように一定の角速度として知られる。
【００１６】
本発明に係る方法において言及されるパラメータと回転角との間の関係は、電磁現象を説明する式に基づいて理論的に導出される。ホール効果センサが角度に依存する信号を生成するために使用される場合、この角度に依存する信号は、その振幅−回転角がグラフで表されるときに正弦波の形状を有する。
【００１７】
しかし、発明者は、パラメータ、すなわちホール効果センサにより生成される角度に依存する信号の振幅と、回転角との間の関係が理論的に導出された正弦波からどのように著しく偏差するかを認識している。実際の関係、及び理論的に導出された正弦波からの結果的な導出は、ホールセンサによって異なり、同じホールセンサについて、それが搭載される正確な位置とは別に、ホールセンサが結合される磁石に依存して変動する。結果として、理論的に導出された関係が使用される場合、回転角の決定においてシステマティックエラーが導入される。
【００１８】
この問題を克服するため、特に有利な実施の形態では、本発明に係る方法は、請求項４の特徴を有する。
【００１９】
この実施の形態では、本方法の予備ステップにおいて、パラメータと回転角との間の実際の関係が経験的に構築される。結果として、回転角の決定を、より信頼性を高くかつ正確にすることができ、したがって、ラベルサイドに形成されるべき画像の良好な定義及び品質が可能となる。この予備のステップは、ラベルが形成されることとなるたびに実行されるが、パラメータと回転角との間の実際の関係がホールセンサに主に依存するので、磁石で、両者間の結合で、この予備的なステップがこれを最後に実行され、その後、回転角が決定されるたびに経験的に構築された関係が使用される。
【００２０】
たとえば光ディスクドライブにおける更なるハードウェアの使用によるか、又はたとえばアンギュラーエンコーダのような予備的なステップについてのみドライブが結合される必要があるアドホックの外部装置であって、基準の測定を生じる外部装置の使用によるか、回転角の基準の測定を実行するため、幾つかのやり方が考案される。有利なことに、基準の測定は、請求項５記載の方法によって実行することができる。
【００２１】
このケースでは、たとえばＣＤ−Ｒといった同期パターンを有する光情報キャリアが使用され、同期パターンは、螺旋トラックからなる半径方向のウォブル変調である。ウォブル信号は、トラックがスキャニングされる間にウォブル変調から生成され、ウォブル変調の公称の波長に依存し、スキャニングリニア速度に依存する周波数を有し、したがって、この周波数を測定することで、リニアな速度を測定することができ、この速度は、積分され、角情報に変換される。
【００２２】
この実施の形態によれば、したがって、予備的なステップは、ドライブに結合される更なるハードウェア又は外部機器の使用なしに実行することができる。
【００２３】
単一のパラメータに基づいて回転角を決定することが原理的に可能であるが、請求項６記載の少なくとも１つの更なるパラメータの使用は、必要とされる計算の簡略化、及びより信頼できかつ正確な決定を可能にする。
【００２４】
本発明の第二の目的は、上述された説明から明らかとなるように、請求項８又は９に記載の光情報キャリアのラベルサイドにラベルを形成する装置により達成される。本発明に係る装置の有利な実施の形態は、請求項１０，１１及び１２に記載される。  
本発明に係る方法及び装置のこれらの態様及び他の態様は、添付図面を参照して更に明らかにされる。
【発明を実施するための最良の形態】
【００２５】
図１は、従来技術で知られるラベルの形成のために適合される光ディスクドライブを示す。光情報キャリア１０は、ラベルサイド１４を有しており、ターンテーブルモータ１１の回転軸と実質的に同軸に配置されるように、クランピング手段１５でターンテーブルモータ１１から延びるシャフト１６にクランプされる。結果として、光情報キャリア１０は、ターンテーブルモータ１１によりかみ合わされ（engaged）、ターンテーブルモータと調和して回転することができる。光情報キャリア１０は、ラベルサイド１４をマークするために書き込み手段１２に面するラベルサイド１４が、半径方向位置合わせ合わせ手段１３により半径方向に位置合わせ合わせ可能にするように配置される。電力調整手段２６は、光情報キャリア１０を回転させる間に書き込み手段１２の電力を調整するために存在する。
【００２６】
磁石は、ターンテーブルモータ１１のロータであって、図示されておらず、ターンテーブルモータ１１の回転に応じて周期的に変化する磁場を生成する。
【００２７】
３つのホール効果センサ１７，１８，１９は、固定された位置で、回転の軸の周りの円に沿った等しい間隔で、磁場に晒されるように配置される。ホール効果センサ１７，１８，１９は、それぞれの電気信号１７’、１８’、１９’を生成し、これら信号の振幅は、それぞれのホール効果センサが晒される磁場の強度に近似的に比例する。
【００２８】
磁場はターンテーブルモータ１１の回転に応じて変化し、また、ホール効果センサ１７，１８，１９により出力された電気信号１７’，１８’，１９’はターンテーブルモータ１１の回転に応じて周期的に変化するので、したがって、回転角αに依存して連続的に変化するパラメータを表している。回転角αは、光情報キャリア１０の基準ポイント２０と基準ポイント２０の固定された基準位置２１との間に含まれる角度として定義される。これら角度に依存する信号１７’，１８’，１９’は、第一の信号処理ユニット２２により処理され、多くの変化する（commuting）信号１７’’，１８’’，１９’’が得られ、これら変化する信号は、それぞれの角度に依存する信号１７’，１８’，１９’の実際の値が閾値にクロスする瞬間での２つの電気信号の間で変化する。そのように得られた３つの変化する信号１７’’，１８’’，１９’’は、３つの変化する信号１７’’，１８’’，１９’’のいずれかが変化を有するたびに変化を有する、タコ信号２４として従来知られる、更なる変化する信号において、第二の信号処理ユニット２３により結合される。タコ信号２４は、回転速度に比例する周波数でのパルスを与え、ターンテーブルモータ１１の回転速度を調整するために速度制御ユニット２５により使用される。
【００２９】
また、本装置には、読取り及び書込みアクセスの両者を実行するためのヘッドが設けられている。このヘッドは、書込み手段１２とは異なり、半径方向位置合わせ手段１３とは異なる更なる半径方向位置合わせ手段により位置合わせ可能である。ヘッド及び更なる半径方向位置合わせ手段は、光情報キャリア１０に関して書き込み手段１２と反対側又は同じ側に位置される。代替として、ヘッド及び書き込み手段１２は別個であるが、同じ位置合わせ手段１３により位置合わせ可能である。さらに、ヘッド及び書き込み手段１３は、完全に統合される、すなわちデータサイドでデータを読み取り又は記録し、ラベルサイド１４でマーキングするために使用される。
【００３０】
本発明は光ディスクドライブ、すなわち光情報キャリアにアクセスし、ラベルの形成のために適合される装置を参照して説明されているが、本発明は、ラベルの形成の特化した装置にも適用され、図１に示される部材は、かかる装置にも同様に参照される。
【００３１】
図２は、図１に示される光ディスクドライブに存在する信号を詳細に示しており、特に、それぞれホール効果センサ１７，１８，１９により出力された３つの角度に依存した信号１７’，１８’，１９’、それぞれの変化する信号１７’’，１８’’，１９’’及びタコ信号２４を示している。
【００３２】
図３は、本発明に係る光情報キャリア１０のラベルサイド１４にラベルを形成するための装置の第一の実施の形態を示している。図１で既に示される特徴に加えて、光情報キャリア１０の回転角αを決定する角度決定ユニット３０が存在する。２つの角度に依存する信号１７’，１８’は、角度決定ユニット３０に存在する測定手段３１に導かれ、ここでそれらの実際の振幅が測定される。この測定は、計算手段３２に提供され、この計算手段は、測定された振幅と回転角αとの間の関係を使用することで、提供される測定に応じて回転角αを計算する。回転角αの決定は、単一の角度に依存する信号１７’の測定に応じても可能であり、角度に依存する信号１７’の振幅に対応する回転角アルファにおける可能性のある不明確さは、たとえば角度に依存する信号１７’の傾きが、測定が行われた瞬間で増加又は減少するかを見ることで解決される。しかし、２つの信号の取得は、決定を簡略化し、雑音の作用を低減するのを可能にする。全ての３つの信号１７’，１８’，１９’の使用も可能である。決定された回転角αは、電力調整手段に供給され、この電力供給手段は、これに応じて書き込み手段１２の電力を調整する。
【００３３】
変化する信号１７’’，１８’’，１９’’又はタコ信号２５は、この目的のために使用されないことを述べることは関心のあることである。これは、これらの信号は連続して変化する信号ではないが、２つの電気的レベルで変化する信号であるため、したがって、一般に、これらの信号の何れかの実際の値は、特定の回転角αに関連付けすることができないが、むしろ回転角のレンジに関連付けすることができる。
【００３４】
同様に、図１を参照して説明されたように、タコ信号２４から知られる回転速度を積分することで回転角αが原理的に決定されるが、かかる決定は、ディスクの回転の間に成長するエラーにより必然的に影響され、結果として、回転角αの決定を信頼できないものにすることを述べることは関心のあることである。本発明者により認識されるように、かかる回転角αの決定は、たとえば５Ｈｚといったような低速で特に信頼することができず、その速度で、レベルが形成される可能性が最も高い。これは、速度が所与の時間インターバルでカウントされるパルスの関数で計算される事実のためであり、速度が低くなり、パルス数が少なくなり、測定エラーが高くなる。
【００３５】
本発明によれば、代わりに、ホール効果センサにより生成される信号の振幅のような角度に依存するパラメータの値から位置が導出される。ホール効果センサの代替として、磁場におけるwinding  capturing  variationが使用される場合がある。
【００３６】
本発明が既存の光ディスクドライブの最小の変更で適用されることは明らかであり、測定手段３１は、マイクロコントローラにおけるＡ／Ｄコンバータに接続される入力として実現され、計算手段３２は、ソフトウェア機能により完全に実現される。
【００３７】
ラベルの形成は、ユーザデータがデータサイドのどのように記録されるかに類似したやり方で、螺旋に沿ってラベルサイド１４をスキャニングするか、ラベルサイド１４全体をカバーするように同心円に沿ってスキャニングすることで行われる。所与の瞬間で、回転角が決定され、所望のラベルを形成するように、書込み手段がこれに応じて変調される。万一、回転角αに基づいた測定及び決定が必要とされる周波数で実行されるために余りに長い時間を要する場合、回転角αの決定は、最近行われた測定の補間に基づく。基準ポイント２０の選択及び基準位置２１の選択は任意であり、ラベルの形成に影響を及ぼさない。
【００３８】
先に導入されたように、本発明に係る方法で示されるパラメータと回転角αとの間の関係は、理論的に導出された関係である。ホール効果センサにより生成された信号の振幅の先に記載されたケースでは、電磁現象を説明する式に基づいて、これは、磁気ポールの結合が磁石でどの位多く存在するかに従って、１以上の正弦波の周期で近似される。
【００３９】
しかし、この関係は、理論的に導出された正弦波から著しく外れる可能性があるので、有利にも、実際の関係は、予備的又は較正ステップで経験的に構築される。この予備的なステップは、パラメータと回転角との間の実際の関係が主にホールセンサ、磁石、及び両者の間の結合に依存するので、原理的にこれを最後に実行され、その後、経験的に構築された関係は、回転角が決定されるたびに使用される。このケースでは、この較正ステップは、装置の最初の使用又は工場における前に、ユーザにより実行される場合がある。
【００４０】
好ましくは、万一、時間、使用、劣化、又は環境変化のために関係の変更が行われる場合、装置には、新たな較正ステップを実行する機能が設けられる。新たな較正ステップは、ユーザにより自動的に生成されるか、トリガされる。
【００４１】
関係は、以下に説明される較正手段３３の使用により構築される。  
ターンテーブルモータ１１は、回転するために制御される。回転の間の所与の瞬間で、測定手段３１及び基準測定手段３５の両者は、回転角αの基準測定を提供するものであり、同時の測定を実行するために制御される。測定の結合は、較正手段３３により取得され、パラメータと回転角αとの間の関係のサンプルを表し、すなわち、所与のパラメータの値に対応する回転角を提供する。手順は、幾つかの回転の間でさえ、所望の密度のサンプルの集合を得るように繰り返される。当業者にとって明らかであるように、雑音の影響を低減するため、様々な技術がサンプルの集合をフィルタリングするために使用される。そのように得られたサンプルの集合は、ルックアップテーブル３４の形式でメモリに記憶される。通常の動作の間、計算手段３２は、測定手段３２からパラメータの値を取得した後、取得されたパラメータの値に対応する回転角についてルックアップテーブル３４でサーチする。取得されたパラメータの値がルックアップテーブルに存在しない場合、取得された値に近いパラメータの値について利用可能なサンプルに応じて補間が計算される。本発明者により行われた実験は、このようにして、百分の１の程度の精度で回転角αを決定することが可能なことが示される。
【００４２】
基準測定手段３５は、ワンス・フォー・オール（once-for-all）較正ステップで使用される、工場でのみ利用可能な外部装置である。かかる装置は、たとえばシャフトに接続可能なアンギュラーエンコーダである。さもなければ、基準測定手段は、光ディスクドライブに永続的に提供される内部装置である場合がある。
【００４３】
有利な実施の形態では、測定手段の機能は、光ディスクドライブに既に存在するコンポーネントの使用により実行される。
【００４４】
実際に、ＣＤ−ＲＯＭ、ＣＤ−Ｒ、ＣＤ−ＲＷ、ＤＶＤ−ＲＯＭ、ＤＶＤ＋Ｒ又はＤＶＤ＋ＲＷのような光情報キャリアは様々な同期パターンを含み、これより、アクセスの間に関連する同期信号が発生され、この同期信号は、回転角αの基準測定を実行するために使用される。
【００４５】
第一の同期信号は、ウォブル信号である。実際に、ＣＤ−Ｒ、ＣＤ−ＲＷ、ＤＶＤ＋Ｒ又はＤＶＤ＋ＲＷのような追記型光情報キャリアは、アドレス情報がエンコードされる半径方向のウォブル変調を有する螺旋トラックを有し、このアドレス情報は、ＡＴＩＰ／ＡＤＩＰフレームとして知られるフレームに編成され、書込みの間にユーザデータのセクタをアドレス指定するために使用される。公称の波長及びスキャニングリニア速度に依存する周波数を有する、ウォブル信号として知られる、ウォブル変調から導出された信号は、書込みの間に回転速度を調整するために光ディスクドライブで通常は使用される。この信号は、積分されたものが角度情報を得るために処理される、タコ信号２５から導出可能な速度情報よりも大幅に精度が高い速度情報を提供するために使用することができる。
【００４６】
別の同期信号は、ＡＴＩＰ／ＡＤＩＰ同期により表される。更なる同期信号は、ＡＴＩＰ／ＡＤＩＰフレームでエンコードされたアドレス情報である。このアドレス情報は、螺旋トラックに沿って位置情報の形式を表し、好ましくは、ウォブルの波長における可能性のある偏差、及び関連する標準で規定される正確な値からのトラックピッチにおける可能性のある偏差を考慮して、角度に変換される。
【００４７】
なお更なる例は、ＣＤ、ＥＦＭ同期、サブコード同期、ユーザデータのセクタに存在するアドレス情報のケースにおけるような、記録されたユーザデータ又は前もって記録されたユーザデータに存在する同期信号である。１回転の間のＥＦＭ同期がカウントされ、等しい角度インターバルに関連付けされる。
【００４８】
更なる例となる同期信号は、ビット検出器ＰＬＬにより再構築されるクロック周期である。  
これら同期信号又はこれらの組み合わせのいずれも、回転角の基準測定を提供するために使用される。
【００４９】
図４は、本発明に係る光情報キャリア１０のラベルサイド１４にラベルを形成する装置の第二の実施の形態を示す。図１及び図３に既に示される機能に加えて、一定の角速度で光情報キャリア１０の回転を調整するため、速度調整ユニット３６が存在する。この実施の形態によれば、決定される回転角αは、速度調整ユニット３６に提供され、ターンテーブルモータ１１の回転速度を調整するために使用される。このように、低速で、タコ信号に基づいて調整よりも非常に精度の高い回転速度の調整を達成することができる。
【００５０】
この低速によるコンテクストでは、十分な精度で、タコ信号に基づいた調整が速度を一定に維持することができない速度であることを意味する。  
速度調整ユニット３６は、速度制御ユニット２５の機能とは異なる機能を有することが強調される。
【００５１】
速度制御ユニット２５は、比較的大きな時間インターバルにわたりカウントされるパルス数に基づいてモータを制御する。そのように決定された速度値は、正確ではなく、最新ではない。結果として、高速が十分に安定である間、ラベルの形成の間に安定であるとみられる低速は、十分な安定度で得ることができず、すなわち速度における大きな変動を含む。速度調整ユニット３６は、代わりに、より最新であって、より頻繁に回転角αが決定される正確な角度決定に基づいてターンテーブルモータ１１を制御する。結果として、ターンテーブルモータ１１は、低速であっても、一定の角速度を精密に生成するために制御される。したがって、電力調整手段２６は、時間情報に基づいて、言い換えれば、制限された一定の角速度を積分することで仮想的に計算される回転角に依存して、シンプルに書き込み手段１２の電力を調整することができる。  
便利なことに、ラベルは、たとえば１〜２Ｈｚのような非常に低速で形成される。
【００５２】
また、図３及び図４で与えられる実施の形態は結合することができる。たとえば、回転角αは、低い一定の角速度を取得するため、及び書込み手段の電力を調整するため、同時に使用することができる。さらに、書込み手段の電力の調整は、仮想的に計算された回転角に基づいて、すなわちオープンループにおいて実行される場合があり、所与のインターバルでのこの仮想的に計算される回転角は、決定された回転角αに従って補正される。
【００５３】
結果的に、ユーザは、以下のように操作する。光情報キャリア１０のラベルサイド１４への書込みのために装置の最初の使用の前に、たとえばＣＤ−Ｒのような光情報キャリアが装置に挿入され、データサイドは、光情報キャリアにアクセスするために使用されるヘッドに面し、予備ステップを実行すること、関係を構築することが可能となる。次いで、書き込まれるべきラベルサイド１４を有する光情報キャリア１０が挿入され、ラベルの形成が可能なように、ラベルサイド１４は書き込み手段１２に面する。予備ステップにおいて関係を経験的に構築するために使用される光情報キャリアは、ラベルが次いで形成される同じ光情報キャリアであるか、または異なるキャリアである。既に導入されたように、この予備ステップは、最初の使用の前にこれを最後に実行されるか、又は必要なときに続けて繰り返される場合がある。
【００５４】
本発明は光記録キャリアを参照して説明されたが、たとえば、回転可能な非光情報キャリアといった、他の用途も可能なことは明らかである。したがって、本発明の範囲は、先に記載された実施の形態に限定されない。
【００５５】
特許請求の範囲を含めて、本明細書で使用されるとき、用語「有する“comprise/comprising”」は、述べた特徴、整数、ステップ又はコンポーネントの存在を特定するために採用され、１以上の他の特徴、整数、ステップ、コンポーネント又はグループの存在又は加算を排除するものではない。また、請求項のエレメントに選考する単語“ａ”又は“ａｎ”は、複数のかかるエレメントの存在を排除するものではない。さらに、参照符号は、請求項の範囲を制限するものではなく、本発明は、ハードウェア及びソフトウェアの両者により実現することができ、幾つかの「手段“means”」は、同一のハードウェアにより表される。さらに、本発明は、それぞれ新たな特徴又は特徴の組み合わせにある。
【００５６】
本発明は、以下のように要約される。追記型光ディスクのラベルサイドにラベルを形成するために適合される光ディスクドライブでは、ラベルサイドのマーキングが同期されるように、回転角の決定が提供される。回転角を決定する方法は、通常は光ディスクドライブに存在し、タコ信号を生成するために使用されるホール効果素子により生成された１又は２の信号に基づいている。有利なことに、回転角とこれらの信号の振幅との間の実際の関係は、決定される回転角の高い精度を可能にするように較正手順で記録される。この較正手順は、工場で又はユーザにより実行され、光ディスクに存在する同期パターンが回転角の基準の測定を提供するために使用される場合に更なるアドホック装置を必要としない。
【図面の簡単な説明】
【００５７】
【図１】従来技術で知られるラベルの形成について適合される光ディスクドライブを示す図である。
【図２】図１に示される光ディスクドライブに存在する信号を詳細に示す図である。
【図３】本発明に係る光情報キャリアのラベルサイドにラベルを形成する装置の第一の実施の形態を示す図である。
【図４】本発明に係る光情報キャリアのラベルサイドにラベルを形成する装置の第二の実施の形態を示す図である。
【図１】
2008505432.tif 000003
【図２】
2008505432.tif 000004
【図３】
2008505432.tif 000005
【図４】
2008505432.tif 000006
【国際調査報告】
2008505432.tif 000007
2008505432.tif 000008
2008505432.tif 000009